(57)【要約】【課題】画像データの送信先に対して画像データの印刷条件を設定でき、受信した画像データの印刷条件を変更することができるネットワークファクシミリ装置を提供することを目的とする。【解決手段】ファクシミリ装置１は、画像データ４１の送信先での印刷条件を記載した出力条件データ４２を作成する。画像データ４１と出力条件データ４２が添付された電子メール４０が、ダイレクトＳＭＴＰ通信によりファクシミリ装置２に送信される。電子メール４０を受信したファクシミリ装置２は、出力条件データ４２に基づく画像処理を画像データ４１に対して行い、印刷用ビットマップデータ５２を生成する。受信原稿として印刷用ビットマップデータ５２が印刷される。受信原稿を再印刷する場合、ファクシミリ装置２は、ユーザが新たに設定した印刷条件に基づく画像処理を画像データ４１に対して行った上で、再印刷に用いられる印刷用ビットマップデータ５２を生成する。【選択図】図１
2010004345.tif 000002
【特許請求の範囲】
【請求項１】
送信対象の画像データの出力条件が指定された出力条件データを作成する出力条件指定部と、
前記画像データと前記出力条件データとを添付した電子メールを作成する電子メール作成部と、
指定された送信先に前記電子メールを送信する送信部と、
を備えることを特徴とするネットワークファクシミリ装置。
【請求項２】
請求項１に記載のネットワークファクシミリ装置において、
前記出力条件データは、前記送信先において前記画像データが印刷されるときに利用される前記画像データのレイアウトを指定したデータであることを特徴とするネットワークファクシミリ装置。
【請求項３】
画像データを含む原稿データが添付された電子メールを受信する受信部と、
前記画像データの出力条件が指定された出力条件データが前記原稿データに含まれているかどうかを確認する原稿データ解析部と、
前記出力条件データが検出された場合、前記出力条件データに基づいて前記画像データから出力用画像データを生成する画像処理部と、
前記出力用画像データを印刷する印刷部と、
を備えることを特徴とするネットワークファクシミリ装置。
【請求項４】
請求項３に記載のネットワークファクシミリ装置において、さらに、
前記出力条件データを含む前記原稿データを記憶する記憶部と、
前記出力条件の変更指示に基づいて前記記憶部に記憶された前記出力条件データを変更する出力条件変更部と、
を備え、
前記画像処理部は、変更された前記出力条件データに基づいて、前記画像データから新たな出力用画像データを生成することを特徴とするネットワークファクシミリ装置。
【請求項５】
請求項３または請求項４に記載のネットワークファクシミリ装置において、
前記出力条件データは、前記出力用画像データ上に配置される前記画像データのレイアウトを指定したデータであることを特徴とするネットワークファクシミリ装置。
【請求項６】
請求項４に記載のネットワークファクシミリ装置において、さらに、
前記出力条件の変更対象となる前記出力条件データを前記記憶部から取得し、取得した前記出力条件データで指定された出力条件を表示する表示部、
を備えることを特徴とするネットワークファクシミリ装置。
【発明の詳細な説明】
【技術分野】
【０００１】
本発明は、画像データを電子メールの添付ファイルとして送信するネットワークファクシミリ装置に関する。
【背景技術】
【０００２】
原稿などをスキャンした画像データを、電子メールに添付して送信するインターネットファクシミリが、主にオフィスなどで利用されている。インターネットファクシミリでは、画像データを添付した電子メールがメールサーバを介して送信される。受信側のファクシミリ装置は、ＰＯＰ（Ｐｏｓｔ  Ｏｆｆｉｃｅ  Ｐｒｏｔｏｃｏｌ）通信を利用してメールサーバに定期的にアクセスし、電子メールを受信する必要がある。このため、通常のインターネットファクシミリには、リアルタイムで原稿を送信することが難しいという問題がある。
【０００３】
この問題の解決策として、ダイレクトＳＭＴＰ（Ｓｉｍｐｌｅ  Ｍａｉｌ  Ｔｒａｎｓｆｅｒ  Ｐｒｏｔｏｃｏｌ）通信を利用する方法がある。これにより、画像データが添付された電子メールが、メールサーバを介することなく送信先のファクシミリ装置に直接送信されるため、画像データをリアルタイムに送信することができる。
【０００４】
【特許文献１】特開２００５−１５１２６３号公報
【発明の開示】
【発明が解決しようとする課題】
【０００５】
従来のファクシミリ装置を用いて原稿を送信する場合、原稿の準備がユーザにとって負担になることがある。たとえば、受信側のユーザから集約印刷された原稿の送信を指示された場合などである。この場合、送信側のユーザは、受信側のユーザから指定された印刷条件で原稿を再印刷し、再印刷された原稿を用いてファクシミリ送信を行わなければならなかった。
【０００６】
また、画像データとともに、ＨＴＭＬ（ＨｙｐｅｒＴｅｘｔ  Ｍａｒｋｕｐ  Ｌａｎｇｕａｇｅ）などのマークアップ言語で記述された文書を送信するファクシミリ装置が存在する。
【０００７】
たとえば、上記特許文献１に係るファクシミリ装置は、画像データを添付した電子メールの他に、ＨＴＭＬで記述された画像データのインデックスを添付した電子メールを送信する。受信側のユーザは、画像データの再送を希望する場合、インデックスの所定の欄に再送を希望する画像データに関する情報を記入して、インデックスを返信する。特許文献１に係るファクシミリ装置は、返信されたインデックスを用いて、再送が指示された画像データを送信する。
【０００８】
上述したファクシミリ装置では、受信した画像データは等倍で印刷される。しかし、受信した画像データのサイズなどによっては、印刷された受信原稿が見づらい場合がある。このような場合、受信側のファクシミリ装置のユーザは、拡大された画像データの再送を要求しなければならなかった。
【０００９】
そこで、本発明は前期問題点に鑑み、画像データの送信先に対して画像データの印刷条件を設定することができるファクシミリ装置、および受信した画像データの印刷条件を変更することができるネットワークファクシミリ装置を提供することを目的とする。
【課題を解決するための手段】
【００１０】
上記課題を解決するため、請求項１記載の発明は、送信対象の画像データの出力条件が指定された出力条件データを作成する出力条件指定部と、前記画像データと前記出力条件データとを添付した電子メールを作成する電子メール作成部と、指定された送信先に前記電子メールを送信する送信部と、を備えることを特徴とする。
【００１１】
請求項２記載の発明は、請求項１に記載のネットワークファクシミリ装置において、前記出力条件データは、前記送信先において前記画像データが印刷されるときに利用される前記画像データのレイアウトを指定したデータであることを特徴とする。
【００１２】
請求項３記載の発明は、画像データを含む原稿データが添付された電子メールを受信する受信部と、前記画像データの出力条件が指定された出力条件データが前記原稿データに含まれているかどうかを確認する原稿データ解析部と、前記出力条件データが検出された場合、前記出力条件データに基づいて前記画像データから出力用画像データを生成する画像処理部と、前記出力用画像データを印刷する印刷部と、を備えることを特徴とする。
【００１３】
請求項４記載の発明は、請求項３に記載のネットワークファクシミリ装置において、さらに、前記出力条件データを含む前記原稿データを記憶する記憶部と、前記出力条件の変更指示に基づいて前記記憶部に記憶された前記出力条件データを変更する出力条件変更部と、を備え、前記画像処理部は、変更された前記出力条件データに基づいて、前記画像データから新たな出力用画像データを生成することを特徴とする。
【００１４】
請求項５記載の発明は、請求項３または請求項４に記載のネットワークファクシミリ装置において、前記出力条件データは、前記出力用画像データ上に配置される前記画像データのレイアウトを指定したデータであることを特徴とする。
【００１５】
請求項６記載の発明は、請求項４に記載のネットワークファクシミリ装置において、さらに、前記出力条件の変更対象となる前記出力条件データを前記記憶部から取得し、取得した前記出力条件データで指定された出力条件を表示する表示部、を備えることを特徴とする。
【発明の効果】
【００１６】
本発明に係るネットワークファクシミリ装置は、画像データと画像データの出力条件が指定された出力条件データとを添付した電子メールを送信する。また、本発明に係るネットワークファクシミリ装置は、受信した電子メールに画像データおよび出力条件データが添付されている場合、出力条件データに基づいて画像データの印刷処理を実行する。これにより、電子メールの送信者は、電子メールの送信先で画像データの出力条件を自由に指定することができる。
【００１７】
また、本発明に係るネットワークファクシミリ装置は、出力条件の変更指示に応じて出力条件データを変更し、変更された出力条件データに基づいて画像データの印刷処理を実行する。これにより、ユーザは、画像データの再送を要求することなく、ユーザにとって見やすい状態で画像データを印刷することができる。
【００１８】
また、本発明に係るネットワークファクシミリ装置は、出力条件の変更対象となる出力条件データを取得し、取得した出力条件データを用いて変更前の出力条件を表示する。これにより、ユーザは、送信元が指定した出力条件を参照しながら出力条件を変更することができる。
【発明を実施するための最良の形態】
【００１９】
以下、図面を参照しつつ本発明の実施の形態について説明する。図１は、本実施の形態に係るファクシミリ装置１、２の構成を含むネットワークシステムの構成図である。図１に示すネットワークシステムは、ファクシミリ装置１、２がそれぞれＬＡＮ（Ｌｏｃａｌ  Ａｒｅａ  Ｎｅｔｗｏｒｋ）３に接続された構成である。図１に示すネットワークシステムが、たとえば、企業内のイントラネットとして構築される。
【００２０】
ファクシミリ装置１、２は、原稿を読み取って作成した画像データ４１を、電子メール４０を利用して送受信するインターネットファクシミリ装置である。ファクシミリ装置２は、メールサーバ機能を有している。したがって、ファクシミリ装置１は、ダイレクトＳＭＴＰ通信を利用して、電子メール４０を直接ファクシミリ装置２に送信することができる。
【００２１】
まず、ファクシミリ装置１の構成について説明する。ファクシミリ装置１は、制御部１１と、操作部１２と、タッチパネル式ディスプレイ１３と、スキャナ部１４と、通信部１５とを備える。
【００２２】
制御部１１は、ファクシミリ装置１の全体制御を行う。制御部１１は、出力条件指定部１１１と、電子メール作成部１１２と、ＳＭＴＰ通信部１１３とを備えている。
【００２３】
出力条件指定部１１１は、送信対象の画像データ４１、４１・・・の印刷条件が記述された出力条件データ４２を作成する。出力条件データ４２は、ＸＨＴＭＬ（ｅＸｔｅｎｓｉｂｌｅ  ＨｙｐｅｒＴｅｘｔ  Ｍａｒｋｕｐ  Ｌａｎｇｕａｇｅ）形式で記述される。なお、出力条件データ４２の記述形式は、ＸＨＴＭＬ形式に限られず、ＸＭＬ（ｅＸｔｅｎｓｉｂｌｅ  Ｍａｒｋｕｐ  Ｌａｎｇｕａｇｅ）形式を用いてもよい。
【００２４】
電子メール作成部１１２は、画像データ４１および出力条件データ４２で構成される原稿データが添付された電子メール４０を作成する。ＳＭＴＰ通信部１１３は、ダイレクトＳＭＴＰ通信を利用して電子メール４０をファクシミリ装置２に送信する。
【００２５】
操作部１２は、ファクシミリ装置１に対する各種指示を入力するためのハードウェアキーなどである。タッチパネル式ディスプレイ１３は、ファクシミリ装置１に関する情報、および各種の操作メニューを表示する。ユーザは、操作部１２およびタッチパネル式ディスプレイ１３を利用して、ファクシミリ装置１の各種操作をすることが可能である。
【００２６】
スキャナ部１４は、原稿を読み取って、原稿の各ページに対応する画像データ４１、４１・・・を作成する。通信部１５は、ＬＡＮ３に接続された各コンピュータとの間で、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）などを利用してデータの送受信を行う。
【００２７】
次に、ファクシミリ装置２の構成について説明する。ファクシミリ装置２は、制御部２１と、操作部２２と、タッチパネル式ディスプレイ２３と、印刷部２４と、通信部２５と、記憶部２６とを備える。
【００２８】
制御部２１は、ファクシミリ装置２の全体制御を行う。制御部２１は、ＳＭＴＰ通信部２１１と、原稿データ解析部２１２と、出力条件変更部２１３と、画像処理部２１４とを備えている。
【００２９】
ＳＭＴＰ通信部２１１は、メールサーバとして機能し、ダイレクトＳＭＴＰ通信により送信された電子メール４０の受信処理を行う。原稿データ解析部２１２は、受信した電子メール４０に出力条件データ４２が添付されているかどうかを判定する。出力条件変更部２１３は、画像データ４１の再印刷時に、新たに指定された印刷条件に基づいて出力条件データ４２を変更する。画像処理部２１４は、出力条件データ４２に基づいて、画像データ４１、４１・・・から印刷用ビットマップデータ５２を作成する。
【００３０】
記憶部２６は、ランダムアクセスメモリなどで構成されており、ファクシミリ装置１から送信された電子メール４０などを格納する。
【００３１】
なお、ファクシミリ装置２における操作部２２、タッチパネル式ディスプレイ２３、通信部２５は、ファクシミリ装置１の各構成要素と同じである。このため、これらの構成要素の説明を省略する。
【００３２】
以下、上述の構成を有するファクシミリ装置１、２の動作について、それぞれ説明する。最初に、ファクシミリ装置１における電子メール４０の送信処理について説明する。図２は、電子メール４０を送信するファクシミリ装置１の動作の流れを示すフローチャートである。
【００３３】
まず、ファクシミリ装置１のユーザは、原稿をオートドキュメントフィーダ（図示省略）などにセットする。ダイレクトＳＭＴＰ通信を用いたインターネットファクシミリ送信に関する設定情報（送信先情報、印刷条件など）が、操作部１２およびタッチパネル式ディスプレイ１３を介してファクシミリ装置１に入力される。ユーザが送信指示を入力することにより、ファクシミリ装置１は、図２に示す処理を開始する。
【００３４】
出力条件指定部１１１は、印刷条件として集約印刷が指定されている場合（ステップＳ１０１においてＹｅｓ）、集約印刷に対応する出力条件データ４２を作成する（ステップＳ１０２）。出力条件データ４２には、受信側の装置（ファクシミリ装置２）が画像データ４１、４１・・・の集約印刷を実行するために必要な各画像データ４１のサイズ情報、位置情報、回転情報などが、ＸＨＴＭＬ形式で記述されている。
【００３５】
次に、スキャナ部１４が原稿を１枚読み取り、等倍の画像データ４１を作成する（ステップＳ１０３）。なお、スキャナ部１４は、ユーザが入力した設定情報などに応じて、原稿とサイズの異なる画像データ４１を作成してもよい。また、画像データ４１は、ＪＰＥＧ（Ｊｏｉｎｔ  Ｐｈｏｔｏｇｒａｐｈｉｃ  Ｅｘｐｅｒｔｓ  Ｇｒｏｕｐ）形式であることが望ましいが、これに限られない。スキャナ部１４は、全ての原稿のスキャンが完了するまで（ステップＳ１０４においてＹｅｓ）、ステップＳ１０３に示す処理を繰り返す。これにより、各ページに対応する画像データ４１、４１・・・が作成される。
【００３６】
出力条件データ４２が作成されている場合（ステップＳ１０５においてＹｅｓ）、出力条件指定部１１１は、各画像データ４１を識別する識別情報を出力条件データ４２に追加する（ステップＳ１０６）。電子メール作成部１１２が、画像データ４１、４１・・・および出力条件データ４２をＭＩＭＥ（Ｍｕｌｔｉｐｕｒｐｏｓｅ  Ｉｎｔｅｒｎｅｔ  Ｍａｉｌ  Ｅｘｔｅｎｓｉｏｎ）エンコードする。ＭＩＭＥエンコードされた画像データ４１、４１・・・および出力条件データ４２が、送信先が指定された電子メール４０に添付される（ステップＳ１０７）。ＳＭＴＰ通信部１１３は、ダイレクトＳＭＴＰ通信を利用して、電子メール４０をファクシミリ装置２に送信する（ステップＳ１０８）。これにより、ファクシミリ装置１は、図２に示す処理を終了する。
【００３７】
一方、出力条件データ４２が作成されていない場合（ステップＳ１０５においてＮｏ）、電子メール４０には、画像データ４１、４１・・・のみが添付される（ステップＳ１０９）。ＳＭＴＰ通信部１１３が電子メール４０をファクシミリ装置２に送信することにより、図２に示す処理が終了する。
【００３８】
次に、ファクシミリ装置２における電子メール４０の受信処理について説明する。図３は、電子メール４０を受信するファクシミリ装置２の動作の流れを示すフローチャートである。
【００３９】
ＳＭＴＰ通信部２１１は、電子メール４０を受信した場合（ステップＳ２０１においてＹｅｓ）、受信した電子メール４０を記憶部２６に格納する。原稿データ解析部２１２は、電子メール４０に対してＭＩＭＥデコードを実行し、添付ファイルを取得する（ステップＳ２０２）。取得した添付ファイルが出力条件データ４２である場合（ステップＳ２０３においてＹｅｓ）、原稿データ解析部２１２は、出力条件データ４２から印刷条件を抽出し、画像処理部２１４に対して抽出した印刷条件を設定する（ステップＳ２０４）。
【００４０】
一方、取得した添付ファイルが画像データ４１である場合（ステップＳ２０３においてＮｏ）、画像処理部２１４が、ＪＰＥＧ形式の画像データ４１をデコードしてビットマップデータ５１を生成する（ステップＳ２０５）。ビットマップデータ５１は、画像データ４１と同一のサイズである。全ての添付ファイルを取得していない場合（ステップＳ２０６においてＮｏ）、原稿データ解析部２１２は、次の添付ファイルを取得するためにステップＳ２０２に示す処理に戻る。
【００４１】
全ての添付ファイルの取得が完了した場合（ステップＳ２０６においてＹｅｓ）、画像処理部２１４が、ステップＳ２０４で設定された印刷条件に基づいて、ビットマップデータ５１、５１・・・から印刷用ビットマップデータ５２を作成する（ステップＳ２０７）。印刷用ビットマップデータ５２は、出力条件データ４２に記述された印刷条件に基づいて、画像データ４１、４１・・・から作成されるラスタ形式のデータである。印刷部２４は、印刷用ビットマップデータ５２を記録用紙に印刷して（ステップＳ２０８）、受信原稿を出力する。
【００４２】
ここで、ファクシミリ装置２における画像データ４１の変化について説明する。図４は、印刷条件として４ページ分の画像データ４１を１ページにまとめる集約印刷（４ｉｎ１）が指定された場合における画像データ４１の変化を示している。画像データ４１、ビットマップデータ５１中の番号は、原稿のページ番号を示している。
【００４３】
図４に示すように、ステップＳ２０５の処理によって、ＪＰＥＧ形式の画像データ４１、４１・・・から、ビットマップデータ５１、５１・・・が生成される。画像処理部２１４が、ステップＳ２０７の処理によって印刷用ビットマップデータ５２を生成する。具体的には、出力条件データ４２に記述された印刷条件に基づいて、各ビットマップデータ５１が縮小され、縮小された各ビットマップデータ５１が、印刷用ビットマップデータ５２上に配置される。
【００４４】
以下、図３に示すフローチャートの説明に戻る。ファクシミリ装置２は、電子メール４０の削除が指示されている場合（ステップＳ２０９においてＹｅｓ）、記憶部２６に格納された電子メール４０を削除し（ステップＳ２１０）、図３に示す処理を終了する。一方、電子メール４０の保存が指示されている場合（ステップＳ２０９においてＮｏ）、ファクシミリ装置２は、記憶部２６に電子メール４０を格納した状態のまま図３に示す処理を終了する。電子メール４０の削除については、制御部２１が印刷処理（ステップＳ２０８）の終了後にユーザに問い合わせてもよい。あるいは、ファクシミリ装置２に、電子メール４０の削除を指示する設定情報が予め登録されていてもよい。
【００４５】
なお、電子メール４０の保存が指示されている場合（Ｓ２０９においてＮｏ）において、ファクシミリ装置２は、電子メール４０ではなく、電子メール４０の添付ファイルを記憶部２６に保存してもよい。この場合、電子メール４０に添付された画像データ４１、４１・・・と出力条件データ４２とが対応づけられた状態で記憶部２５に格納される。
【００４６】
このように、ファクシミリ装置２は、画像データ４１をそのまま印刷するのではなく、出力条件データ４２に記述された印刷条件に基づいた印刷処理を行う。したがって、ファクシミリ装置１のユーザは、電子メール４０の受信側に対して画像データ４１の出力条件を自由に設定することができる。
【００４７】
しかし、図３に示す処理によって出力される受信原稿は、集約印刷により画像データ４１が縮小されているため見づらいことがある。このような場合、ファクシミリ装置２のユーザは、印刷条件を変更した上で、受信原稿の再印刷を行うことができる。
【００４８】
以下、図５を用いて受信原稿の再印刷処理について説明する。図５は、画像データ４１を再印刷するファクシミリ装置２の動作の流れを示すフローチャートである。なお、図５に示すフローチャートは、出力条件データ４２が添付された電子メール４０に対して適用される。
【００４９】
まず、ファクシミリ装置２のユーザが、操作部２２およびタッチパネル式ディスプレイ２３を操作して、記憶部２６に格納されている電子メール４０の中から再印刷の対象となる電子メール４０を指定する（ステップＳ３０１）。
【００５０】
次に、原稿データ解析部２１２が、電子メール４０に対してＭＩＭＥデコードを行い、添付ファイルを取得する（ステップＳ３０２）。取得した添付ファイルが出力条件データ４２の場合（ステップＳ３０３においてＹｅｓ）、原稿データ解析部２１２は、出力条件データ４２から印刷条件を取得する。取得した印刷条件は、タッチパネル式ディスプレイ２３に表示される（ステップＳ３０４）。一方、取得した添付ファイルが画像データ４１の場合（ステップＳ３０３においてＮｏ）、画像データ４１からビットマップデータ５１が生成される（ステップＳ３０５）。制御部２１は、全ての添付ファイルを取得するまで（ステップＳ３０６においてＹｅｓ）、ステップＳ３０２〜Ｓ３０５の処理を繰り返す。
【００５１】
なお、記憶部２６に画像データ４１、４１・・・および出力条件データ４２が格納されている場合、ユーザは、再印刷の対象として画像データ４１、４１・・・を指定する。このとき、ステップＳ３０１〜Ｓ３０６に示す処理は行われず、指定された画像データ４１からビットマップデータ５１が生成される。また、原稿データ解析部２１２は、指定された画像データ４１に対応する出力条件データ４２から印刷条件を取得し、取得した印刷条件をタッチパネル式ディスプレイ２３に表示する。
【００５２】
ユーザは、タッチパネル式ディスプレイ２３に表示された印刷条件を確認し、印刷条件を変更するかどうか判断する。印刷条件を変更する場合、ユーザは、操作部２２およびタッチパネル式ディスプレイ２３を操作して新たな印刷条件を入力する。たとえば、最初に出力された受信原稿において画像データ４１がつぶれて印刷されていた場合、画像データ４１の等倍印刷または拡大印刷を指定することができる。
【００５３】
印刷条件が変更された場合（ステップＳ３０７においてＹｅｓ）、出力条件変更部２１３は、ユーザが入力した新たな印刷条件を出力条件データ４２に反映させる（ステップＳ３０８）。画像処理部２１４は、出力条件データ４２に基づいて、ビットマップデータ５１、５１・・・から印刷用ビットマップデータ５２を生成する（ステップＳ３０９）、印刷部２４が、印刷用ビットマップデータ５２の印刷処理を実行する（ステップＳ３１０）。このように、ファクシミリ装置２は、印刷条件を変更し、変更された印刷条件に基づいて画像データ４１、４１・・・を再印刷することができる。
【００５４】
次に、制御部２１は、再印刷対象の電子メール４０の削除が指示されている場合（ステップＳ３１１においてＹｅｓ）、再印刷対象の電子メール４０を記憶部２６から削除し（ステップＳ３１２）、図５に示す処理を終了する。一方、電子メール４０の保存が指示されている場合（ステップＳ３１１においてＮｏ）、制御部２１は、出力条件データ４２が変更されたかどうかを確認する（ステップＳ３１３）。
【００５５】
出力条件データ４２が変更されていない場合(ステップＳ３１３においてＮｏ)、制御部２１は、記憶部２６に電子メール４０を格納した状態のまま、図５に示す処理を終了する。一方、出力条件データ４２が変更された場合（ステップＳ３１３においてＹｅｓ）、制御部２１は、新たな印刷条件が反映された出力条件データ４２に置き換えられた電子メール４０を記憶部２６に格納する（ステップＳ３１４）。このとき、印刷条件の変更前の出力条件データ４２は削除される。
【００５６】
なお、ステップＳ３１４において、制御部２１は、変更前の出力条件データ４２と、変更後の出力条件データ４２とが添付された電子メール４０を記憶部２６に格納してもよい。また、電子メール４０の保存が指示された場合（ステップＳ３１１においてＮｏ）、制御部２１は、ステップＳ３１３の処理を省略してもよい。つまり、制御部２１は、印刷条件が変更された出力条件データ４２の保存処理を行わなくてもよい。
【００５７】
以上説明したように、ファクシミリ装置１は、原稿送信時に、画像データ４１と、画像データ４１の印刷条件を記録した出力条件データ４２とを添付した電子メール４０を送信する。これにより、ファクシミリ装置１のユーザは、送信先で印刷される画像データ４１の印刷条件を自由に設定することができる。
【００５８】
また、ファクシミリ装置２は、記憶部２６に電子メール４０を保存し、変更された印刷条件に基づいて画像データ４１を再印刷することができる。これにより、ファクシミリ装置２のユーザは、画像データ４１の再送信を送信元に要求することなく、所望の受信原稿を得ることができる。
【００５９】
なお、上記実施の形態において、ファクシミリ装置１が集約印刷（Ｎｉｎ１）に対応する出力条件データ４２を作成する場合を例として説明した。しかし、ファクシミリ装置１のユーザは、集約印刷だけでなく、画像データ４１の回転、または拡大／縮小などを印刷条件として指定することができる。この場合、ファクシミリ装置１は、各種の印刷条件に応じた出力条件データ４２を作成する。ファクシミリ装置２は、出力条件データ４２に記述された各種の印刷条件に応じて、印刷用ビットマップデータ５２を生成する。
【００６０】
また、上記実施の形態において、ダイレクトＳＭＴＰ通信を用いる場合について説明したが、これに限られない。ファクシミリ装置１、２が、メールサーバを介して電子メール４０を送受信する場合でも、上記の処理を適用することができる。
【００６１】
また、上記実施の形態で説明した電子メール４０の再印刷処理において、電子メール４０から取得した出力条件データ４２を表示する（ステップＳ３０４）例について説明したが、これに限られない。たとえば、ユーザは、再印刷対象の電子メール４０と、印刷条件とを同時に指定してもよい。この場合、ステップＳ３０４の処理は省略される。
【図面の簡単な説明】
【００６２】
【図１】本発明の実施の形態に係るファクシミリ装置の構成を含むネットワークシステムの構成図である。
【図２】原稿データを送信するファクシミリ装置の動作の流れを示すフローチャートである。
【図３】原稿データを受信したファクシミリ装置の動作の流れを示すフローチャートである。
【図４】集約印刷が設定された場合における画像データの変化を示す図である。
【図５】原稿データを再印刷するファクシミリ装置の動作の流れを示すフローチャートである。
【符号の説明】
【００６３】
１、２  ファクシミリ装置
１１、２１  制御部
１２、２２  操作部
１３、２３  タッチパネル式ディスプレイ
１４  スキャナ部
２４  印刷部
２６  記憶部
１１１  出力条件指定部
１１２  電子メール作成部
１１３、２１１  ＳＭＴＰ通信部
２１２  原稿データ解析部
２１３  出力条件変更部
２１４  画像処理部
【図１】
2010004345.tif 000003
【図２】
2010004345.tif 000004
【図３】
2010004345.tif 000005
【図４】
2010004345.tif 000006
【図５】
2010004345.tif 000007